(57)【要約】  プラズマディスプレイパネルは、互いに対向する第１基板および第２基板を有している。第１基板は、第１および第２バス電極、誘電体層、アドレス電極を有し、第２基板は、第１および第２隔壁を有している。第１および第２バス電極は、第１方向に延在し、間隔を置いて第１基板上に配置され、アドレス電極は、第１方向と交差する第２方向に延在し、第１および第２バス電極を覆う誘電体層上に配置される。第１隔壁は、第２方向に延在し、アドレス電極近傍に位置して第２基板上に配置される。また、第２隔壁は、第１方向に延在し、第２バス電極に対向して第２基板上に配置される。この結果、誤放電を防止しつつ、蛍光体が塗布される面積を大きくできる。
2009025011.tif 000002
【特許請求の範囲】
【請求項１】
放電空間を介して互いに対向する第１基板および第２基板と、
前記第１基板上に、第１方向に延在し、間隔を置いて配置された第１および第２バス電極と、
前記第１基板上に設けられ、前記第１および第２バス電極を覆う誘電体層と、
前記誘電体層上に設けられ、前記第１方向と交差する第２方向に延在し、間隔を置いて配置された複数のアドレス電極と、
前記第２基板上に設けられ、前記第２方向に延在し、前記アドレス電極近傍に位置する複数の第１隔壁と、
前記第２基板上に設けられ、前記第１方向に延在し、前記第２バス電極に対向する複数の第２隔壁とを備えていることを特徴とするプラズマディスプレイパネル。
【請求項２】
請求項１記載のプラズマディスプレイパネルにおいて、
前記第１バス電極は、前記放電空間上に位置していることを特徴とするプラズマディスプレイパネル。
【請求項３】
請求項１記載のプラズマディスプレイパネルにおいて、
互いに隣接する一対の前記第１隔壁と、互いに隣接する一対の前記第２隔壁とで囲われる領域に形成されるセルを備え、
前記各セルは、
前記第２基板上と前記第１および前記第２隔壁の側面とに塗布された蛍光体を備えていることを特徴とするプラズマディスプレイパネル。
【請求項４】
請求項３記載のプラズマディスプレイパネルにおいて、
赤、緑および青の光をそれぞれ発生する前記蛍光体がそれぞれ塗布された３つの前記セルにより構成される画素を備えていることを特徴とするプラズマディスプレイパネル。
【請求項５】
請求項１記載のプラズマディスプレイパネルにおいて、
前記第１および第２隔壁は、前記第２基板と一体に形成されていることを特徴とするプラズマディスプレイパネル。
【発明の詳細な説明】
【技術分野】
【０００１】
本発明は、ディスプレイ装置に使用するプラズマディスプレイパネルに関する。
【背景技術】
【０００２】
プラズマディスプレイパネル（ＰＤＰ）は、２枚のガラス基板を互いに貼り合わせて構成されており、ガラス基板の間に形成される空間に放電光を発生させることで画像を表示する。画像における画素に対応するセルは、自発光型であり、放電により発生する紫外線を受けて赤、緑、青の可視光を発生する蛍光体が塗布されている。【０００３】
例えば、Ｘ、Ｙ電極およびアドレス電極を有する３電極構造のＰＤＰは、Ｘ電極およびＹ電極間でサステイン放電を発生させることで、画像を表示する。サステイン放電を発生させるセル（点灯させるセル）は、例えば、Ｙ電極およびアドレス電極間で選択的にアドレス放電を発生させることにより、選択される。【０００４】
一般的なＰＤＰでは、ＸおよびＹ電極が間隔を置いて前面ガラス基板に配置され、Ｘ電極の延在する方向（横方向）に直交する方向（縦方向）に延在する隔壁（縦隔壁）および互いに隣接する縦隔壁の間に配置されたアドレス電極が背面ガラス基板に配置されている（例えば、特許文献１参照）。例えば、Ｘ電極は、Ｘバス電極とＸ透明電極とにより構成され、Ｙ電極は、Ｙバス電極とＹ透明電極とにより構成される。そして、セルは、互いに隣接する一対のＸバス電極およびＹバス電極と、互いに隣接する一対の縦隔壁とで囲われる領域に形成される。【０００５】
また、輝度を向上させるためにセル面積を大きくしたＰＤＰでは、上記縦方向に沿って互いに隣接する２つのセル間の距離が短くなり、一方のセルのＸバス電極および他方のセルのＹバス電極間で誤放電が発生するおそれがある。この誤放電を防止するために、例えば、特許文献１のＰＤＰでは、縦方向に沿って互いに隣接する２つのセル間において、一方のセルのＸバス電極および他方のセルのＹバス電極間に位置する横隔壁（横方向に延在する隔壁）を設けている。すなわち、縦隔壁と横隔壁とにより構成される格子状の隔壁が背面ガラス基板に設けられる。【０００６】
近年、Ｘ電極およびＹ電極とアドレス電極の３電極を前面ガラス基板に配置したＰＤＰが提案されている（例えば、特許文献２参照）。この種のＰＤＰでは、ＸおよびＹ電極が間隔を置いて前面ガラス基板に配置され、上記縦方向に延在するアドレス電極がＸおよびＹ電極を覆う誘電体層上に配置される。そして、アドレス電極に対向する隔壁（縦隔壁）と、ＸおよびＹバス電極の両方に対向する隔壁（横隔壁）とにより構成される格子状の隔壁が背面ガラス基板に設けられている。そして、蛍光体は、背面ガラス基材の表面および隔壁（縦隔壁および横隔壁）の側面に塗布される。
【特許文献１】特開２００６−１８５９０３号公報
【特許文献２】特開２００６−１２７７２号公報
【発明の開示】
【発明が解決しようとする課題】
【０００７】
特許文献２のＰＤＰでは、上記横隔壁がＸ、Ｙバス電極の両方に対向しているため、横隔壁の幅（縦方向に沿う幅）が大きくなり、上記縦隔壁と横隔壁とにより囲まれる面積が小さくなる。すなわち、前面ガラス基板上に３電極を有する（前面ガラス基板上にアドレス電極を有する）特許文献１のＰＤＰでは、蛍光体が塗布される面積は、背面ガラス基板上にアドレス電極を有する特許文献１のＰＤＰに比べて小さい。【０００８】
なお、前面ガラス基板上に３電極を有するＰＤＰでは、互いに隣接するセルにおける一方のセルのＸバス電極および他方のセルのＹバス電極間での誤放電を防止するとともに、アドレス電極およびＹバス電極間での誤放電を防止する必要がある。これは、前面ガラス基板上に３電極を有するＰＤＰでは、アドレス電極とＹバス電極との距離が近いためである。【０００９】
本発明の目的は、前面ガラス基板上に３電極を有するＰＤＰにおいて、誤放電を防止しつつ、蛍光体が塗布される面積を大きくすることである。特に、前面ガラス基板上に３電極を有するＰＤＰにおいて、画像の輝度を向上させ、画像の品位を向上させることである。
【課題を解決するための手段】
【００１０】
プラズマディスプレイパネルは、互いに対向する第１基板および第２基板を有している。第１基板は、第１および第２バス電極、誘電体層、アドレス電極を有し、第２基板は、第１および第２隔壁を有している。第１および第２バス電極は、第１方向に延在し、間隔を置いて第１基板上に配置され、アドレス電極は、第１方向と交差する第２方向に延在し、第１および第２バス電極を覆う誘電体層上に配置される。第１隔壁は、第２方向に延在し、アドレス電極近傍に位置して第２基板上に配置される。また、第２隔壁は、第１方向に延在し、第２バス電極に対向して第２基板上に配置される。
【発明の効果】
【００１１】
本発明では、前面ガラス基板上に３電極を有するＰＤＰにおいて、誤放電を防止しつつ、蛍光体が塗布される面積を大きくできる。特に、前面ガラス基板上に３電極を有するＰＤＰにおいて、画像の輝度を向上させ、画像の品位を向上させることができる。
【図面の簡単な説明】
【００１２】
【図１】本発明の第１の実施形態におけるＰＤＰの要部の分解斜視図である。
【図２】図１に示したＰＤＰの説明図である。
【図３】図２に示したＰＤＰのＡ−Ａ’線に沿う断面図である。
【図４】図２に示したＰＤＰのＢ−Ｂ’線に沿う断面図である。
【図５】図１に示した背面基板部の概要を示す説明図である。
【図６】図１に示したＰＤＰを用いて構成されたプラズマディスプレイ装置の一例を示す分解斜視図である。
【図７】図６に示した回路部の概要を示すブロック図である。
【図８】図１に示したＰＤＰに画像を表示するためのサブフィールドの放電動作の例を示す波形図である。
【図９】本発明の変形例におけるＰＤＰの電極構成を示す説明図である。
【発明を実施するための最良の形態】
【００１３】
以下、本発明の実施形態を図面を用いて説明する。【００１４】
図１は、本発明の一実施形態におけるプラズマディスプレイパネル（以下、ＰＤＰとも称する）の要部を示している。図中の矢印Ｄ１は、第１方向Ｄ１を示し、矢印Ｄ２は、第１方向Ｄ１に画像表示面に平行な面内で直交する第２方向Ｄ２を示している。ＰＤＰ１０は、画像表示面を構成する前面基板部１２と、前面基板部１２に対向する背面基板部１４とにより構成されている。前面基板部１２と背面基板部１４の間（より詳細には、背面基板部１４の凹部）に放電空間ＤＳが形成される。【００１５】
前面基板部１２は、ガラス基材ＦＳ（第１基板）上（図では下側）に第１方向Ｄ１に沿って平行に形成され、第２方向Ｄ２に沿って交互に形成されたＸバス電極Ｘｂ（第１バス電極）およびＹバス電極Ｙｂ（第２バス電極）を有している。Ｘバス電極Ｘｂには、Ｘバス電極ＸｂからＹバス電極Ｙｂに向けて第２方向Ｄ２に延在するＸ透明電極Ｘｔが接続されている。また、Ｙバス電極Ｙｂには、Ｙバス電極ＹｂからＸバス電極Ｘｂに向けて第２方向Ｄ２に延在するＹ透明電極Ｙｔが接続されている。図の例では、Ｘ透明電極ＸｔおよびＹ透明電極Ｙｔは、第２方向Ｄ２に沿って互いに対向している。【００１６】
ここで、Ｘバス電極ＸｂおよびＹバス電極Ｙｂは、金属材料等で形成された不透明な電極であり、Ｘ透明電極ＸｔおよびＹ透明電極Ｙｔは、ＩＴＯ膜等で形成された光を透過する透明電極である。そして、Ｘ電極ＸＥ（維持電極）は、Ｘバス電極ＸｂおよびＸ透明電極Ｘｔにより構成され、Ｙ電極ＹＥ（走査電極）は、Ｙバス電極ＹｂおよびＹ透明電極Ｙｔにより構成される。Ｘ電極ＸＥおよびＹ電極ＹＥで構成される電極対（より具体的には、Ｘ透明電極ＸｔおよびＹ透明電極Ｙｔ間）で繰り返して放電（サステイン放電）を発生させる。【００１７】
また、透明電極ＸｔおよびＹｔは、それぞれが接続されるバス電極ＸｂおよびＹｂとガラス基材ＦＳとの間に全面に配置されてもよい。なお、バス電極ＸｂおよびＹｂと同じ材料（金属材料等）で、バス電極ＸｂおよびＹｂと一体の電極が透明電極ＸｔおよびＹｔの代わりに形成されてもよい。【００１８】
電極Ｘｂ、Ｘｔ、Ｙｂ、Ｙｔは、誘電体層ＤＬ１に覆われている。例えば、誘電体層ＤＬ１は、ＣＶＤ法により形成された二酸化シリコン膜等の絶縁膜である。そして、誘電体層ＤＬ１上（図では下側）には、バス電極Ｘｂ、Ｙｂの直交方向（第２方向Ｄ２）に延在する複数のアドレス電極ＡＥが設けられている。このように、この実施形態のＰＤＰは、前面基板部１２に３電極（電極ＸＥ、ＹＥ、ＡＥ）を有している。【００１９】
また、アドレス電極ＡＥは、誘電体層ＤＬ２に覆われており、誘電体層ＤＬ２の表面は、保護層ＰＬに覆われている。例えば、保護層ＰＬは、放電を発生しやすくするために、陽イオンの衝突による２次電子の放出特性の高いＭｇＯ膜で形成される。なお、アドレス電極ＡＥおよび誘電体層ＤＬ１は、誘電体層ＤＬ２を設けずに、保護層ＰＬに直接覆われてもよい。【００２０】
放電空間ＤＳを介して前面基板部１２に対向する背面基板部１４は、ガラス基材ＲＳ（第２基板）上に、第１隔壁（バリアリブ）ＢＲ１および第２隔壁ＢＲ２により格子状に形成された隔壁を有している。例えば、隔壁ＢＲ１、ＢＲ２は、例えば、ガラス基材ＲＳと一体に形成される。なお、隔壁ＢＲ１は、バス電極Ｘｂ、Ｙｂに直交する方向（第２方向Ｄ２）に延在し、アドレス電極ＡＥに対向している。また、隔壁ＢＲ２は、バス電極Ｘｂ、Ｙｂに沿った第１方向Ｄ１に延在し、バス電極Ｙｂのみに対向している。すなわち、バス電極Ｘｂは、放電空間ＤＳ上に位置し、バス電極Ｙｂは、隔壁ＢＲ２上に位置している。【００２１】
ここで、１つのセル（一色の画素）は、後述する図２に示すように、互いに隣接する一対の隔壁ＢＲ１と互いに隣接する一対の隔壁ＢＲ２とで囲われる領域に形成される。すなわち、隔壁ＢＲ１、ＢＲ２により、セルの側壁が構成される。そして、隔壁ＢＲ１、ＢＲ２の側面と、隔壁ＢＲ１、ＢＲ２に囲まれた部分のガラス基材ＲＳ上とには、紫外線により励起されて赤（Ｒ）、緑（Ｇ）、青（Ｂ）の可視光を発生する蛍光体ＰＨｒ、ＰＨｇ、ＰＨｂが、それぞれ塗布されている。【００２２】
ＰＤＰ１０の１つの画素は、赤、緑および青の光を発生する３つのセルにより構成される。このように、ＰＤＰ１０は、画像を表示するためにセルをマトリックス状に配置し、かつ互いに異なる色の光を発生する複数種のセルを交互に配列して構成されている。特に図示していないが、バス電極Ｘｂ、Ｙｂに沿って形成されたセルにより、表示ラインが構成される。【００２３】
ＰＤＰ１０は、前面基板部１２および背面基板部１４を、保護層ＰＬと隔壁ＢＲ１が互いに接するように貼り合わせ、Ｎｅ、Ｘｅ等の放電ガスを放電空間ＤＳに封入することで構成される。【００２４】
図２は、図１に示したＰＤＰ１０の概要を示している。なお、図２は、画像表示面側（図１の上側）から見た電極Ｘｂ、Ｘｔ、Ｙｂ、Ｙｔ、ＡＥ、隔壁ＢＲ１、ＢＲ２の状態を示している。図中の網掛け部分は、隔壁ＢＲ１、ＢＲ２を示している。【００２５】
上述したように、セルＣ１は、互いに隣接する一対の隔壁ＢＲ１と互いに隣接する一対の隔壁ＢＲ２とで囲われる領域（図の破線で囲んだ領域）に形成される。なお、セルは、図に示したセルＣ１に対応するバス電極Ｙｂ（図では、セルＣ１の下側のバス電極Ｙｂ）およびアドレス電極ＡＥ（図では、セルＣ１の左側のアドレス電極ＡＥ）の一部分を含んで定義される場合もある。また、画像表示面側から見た場合、各セルＣ１の放電空間ＤＳは、互いに隣接する一対の隔壁ＢＲ１と互いに隣接する一対の隔壁ＢＲ２とで囲われる領域に形成される。【００２６】
隔壁ＢＲ２は、バス電極Ｙｂに沿ってそれぞれ配置されている。より詳細には、上述した図１で説明したように、隔壁ＢＲ２は、バス電極Ｙｂのみに対向して配置されている。そして、バス電極Ｘｂは、セルＣ１（図の破線で囲んだ領域）内を通って配置される。すなわち、この実施形態では、隔壁ＢＲ２の第２方向Ｄ２に沿う幅Ｗ１を、バス電極Ｘｂ、Ｙｂの両方に対向させた隔壁を設ける場合に比べて小さくできる。この結果、セルＣ１の第２方向Ｄ２に沿う長さＷ２を大きくでき、蛍光体が塗布される面積（図の破線で囲んだ領域）を大きくできる。蛍光体が塗布される面積を大きくできるため、画像の輝度を向上でき、画像の品位を向上させることができる。【００２７】
また、隔壁ＢＲ２は、第２方向Ｄ２に沿って互いに隣接するセルＣ１において、一方のセルＣ１のバス電極Ｘｂおよび他方のセルＣ１のバス電極Ｙｂ間で誤放電が発生することを防止する。これにより、第２方向Ｄ２に沿って互いに隣接するセルＣ１の間隔を狭くできるため、セルＣ１の面積を大きくできる。さらに、隔壁ＢＲ２は、バス電極Ｙｂとアドレス電極ＡＥとの間で誤放電が発生することを防止する。【００２８】
なお、この実施形態では、セルＣ１に対応するアドレス電極ＡＥ、透明電極Ｙｔ、Ｘｔは、第１方向Ｄ１に沿って左側から順番に配置されている。このため、アドレス電極ＡＥと透明電極Ｙｔ間に電圧を印加することにより、着目するセルＣ１の放電空間ＤＳでアドレス放電を発生させることができる。このとき、隔壁ＢＲ１も誘電体層の一部として作用し、アドレス電極ＡＥと透明電極Ｙｔ間の電界が放電空間ＤＳに生ずる。また、アドレス電極ＡＥを挟んで第１方向Ｄ１に互いに隣接する２つのセルＣ１において、一方のセルＣ１の透明電極Ｙｔのみがアドレス電極ＡＥに隣接する。このため、一方のセルＣ１のアドレス電極ＡＥと透明電極Ｙｔ間でアドレス放電を発生させるとき（アドレス期間）に、一方のセルＣ１のアドレス電極ＡＥと他方のセルＣ１の透明電極Ｙｔ間で誤放電が発生することを防止できる。【００２９】
また、この実施形態では、アドレス電極ＡＥを挟んで第１方向Ｄ１に互いに隣接する２つのセルＣ１において、アドレス電極ＡＥは、自身に対応する一方のセルＣ１側（図では、右側）に片寄って配置されている。すなわち、アドレス電極ＡＥは、自身に対応する一方のセルＣ１（図では、右側のセルＣ１）の放電空間ＤＳに近い位置に配置され、他方のセルＣ１の放電空間ＤＳから遠い位置になる。この結果、この実施形態では、一方のセルＣ１でアドレス放電を発生させるときに、一方のセルＣ１のアドレス電極ＡＥと他方のセルＣ１の透明電極Ｙｔ間で誤放電が発生することを確実に防止できる。なお、アドレス電極ＡＥは、隔壁ＢＲ１からはみ出ない範囲で、自身に対応するセルＣ１側に片寄って配置されてもよいし、一部または全部が隔壁ＢＲ１からはみ出して、自身に対応するセルＣ１側に配置されてもよい。【００３０】
図３および図４は、図２に示したＰＤＰ１０の断面を示している。なお、図３は、図２のＡ−Ａ’線に沿うＰＤＰ１０の断面を示し、図４は、図２のＢ−Ｂ’線に沿うＰＤＰ１０の断面を示している。なお、図３に示した蛍光体ＰＨは、蛍光体ＰＨｒ、ＰＨｇ、ＰＨｂのいずれかであり、以下、可視光の色毎に区別しない場合等、蛍光体ＰＨｒ、ＰＨｇ、ＰＨｂを、蛍光体ＰＨとも称する。【００３１】
図３に示すように、バス電極Ｘｂは、放電空間ＤＳ上に位置し、バス電極Ｙｂは、隔壁ＢＲ２上に位置している。この実施形態では、バス電極Ｙｂが放電空間ＤＳ上に位置していないため、バス電極Ｘｂ、Ｙｂ間での誤放電およびアドレス電極ＡＥ、バス電極Ｙｂ間での誤放電を防止できる。また、この実施形態では、バス電極Ｘｂに対向する位置まで隔壁が設けられている場合に比べて、蛍光体ＰＨが塗布されるガラス基材ＲＳの面積および隔壁ＢＲ１の側面の面積を大きくできる。【００３２】
図４に示すように、セルＣ１（Ｒ）の隔壁ＢＲ１、ＢＲ２の側面およびガラス基材ＲＳ上には、赤の可視光を発生する蛍光体ＰＨｒが塗布されている。同様に、セルＣ１（Ｇ）およびＣ１（Ｂ）には、緑および青の可視光を発生する蛍光体ＰＨｇおよびＰＨｂが、それぞれ塗布されている。上述した図１で説明したように、１つの画素ＰＸは、赤、緑および青の光をそれぞれ発生する蛍光体ＰＨｒ、ＰＨｇ、ＰＨｂがそれぞれ塗布された３つのセルＣ１（セルＣ１（Ｒ）、Ｃ１（Ｇ）、Ｃ１（Ｂ））により構成される。【００３３】
図５は、図１に示した背面基板部１４の概要を示している。ガラス基材ＲＳの周辺部には、排気空間ＥＳからガラス基材ＲＳの外面まで貫通する排気孔ＥＨが設けられている。これにより、組み立てられたＰＤＰの放電空間ＤＳを真空状態に設定でき、放電ガスを放電空間ＤＳに封入できる。また、放電空間ＤＳおよび排気空間ＥＳは、サンドブラスト法等により、ガラス基材ＲＳを直接彫り込んで形成される。すなわち、隔壁ＢＲ１、ＢＲ２は、サンドブラスト法等でガラス基材ＲＳを削ることにより、ガラス基材ＲＳと一体に形成される。これにより、例えば、隔壁ＢＲ１、ＢＲ２を形成するための焼成工程を必要としないため、ＰＤＰの製造コストを低減できる。多くの場合、この焼成工程の焼成炉は電気をエネルギーとしており、この焼成工程を無くすことは電気エネルギーの削減にもなる。【００３４】
図６は、図１に示したＰＤＰ１０を用いて構成されたプラズマディスプレイ装置の一例を示している。プラズマディスプレイ装置（以下、ＰＤＰ装置とも称する）は、ＰＤＰ１０、ＰＤＰ１０の画像表示面１６側（光の出力側）に設けられる光学フィルタ２０、ＰＤＰ１０の画像表示面１６側に配置された前筐体３０、ＰＤＰ１０の背面１８側に配置された後筐体４０およびベースシャーシ５０、ベースシャーシ５０の後筐体４０側に取り付けられ、ＰＤＰ１０を駆動するための回路部６０、およびＰＤＰ１０をベースシャーシ５０に貼り付けるための両面接着シート７０を有している。回路部６０は、複数の部品で構成されるため、図では、破線の箱で示している。光学フィルタ２０は、前筐体３０の開口部３２に取り付けられる保護ガラス（図示せず）に貼付される。なお、光学フィルタ２０は、電磁波を遮蔽する機能を有することもある。また、光学フィルタ２０は、保護ガラスではなく、ＰＤＰ１０の画像表示面１６側に直接貼付されることもある。【００３５】
図７は、図１に示したＰＤＰ１０を駆動するための回路部６０の概要を示している。回路部６０は、バス電極Ｘｂに共通のパルスを印加するＸドライバＸＤＲＶ、バス電極Ｙｂに選択的にパルスを印加するＹドライバＹＤＲＶ、アドレス電極ＡＥに選択的にパルスを印加するアドレスドライバＡＤＲＶ、ドライバＸＤＲＶ、ＹＤＲＶ、ＡＤＲＶの動作を制御する制御部ＣＮＴおよび電源部ＰＷＲを有している。ドライバＸＤＲＶ、ＹＤＲＶ、ＡＤＲＶは、ＰＤＰ１０を駆動する駆動部として動作する。電源部ＰＷＲは、ドライバＹＤＲＶ、ＸＤＲＶ、ＡＤＲＶに供給する電源電圧Ｖｓｃ、Ｖｓ／２、−Ｖｓ／２、Ｖｓａ等を生成する。【００３６】
制御部ＣＮＴは、画像データＲ０−７、Ｇ０−７、Ｂ０−７に基づいて使用するサブフィールドを選択し、ドライバＹＤＲＶ、ＸＤＲＶ、ＡＤＲＶに制御信号ＹＣＮＴ、ＸＣＮＴ、ＡＣＮＴを出力する。ここで、サブフィールドは、ＰＤＰ１０の１画面を表示するための１フィールドが分割されたフィールドであり、サブフィールド毎にサステイン放電の回数が設定されている。そして、画素を構成するセルＣ１毎に、使用するサブフィールドを選択することにより、多階調の画像が表示される。【００３７】
図８は、図１に示したＰＤＰ１０に画像を表示するためのサブフィールドにおける放電動作の一例を示している。図中の星印は、放電の発生を示している。各サブフィールドＳＦは、リセット期間ＲＳＴ、アドレス期間ＡＤＲ、サステイン期間ＳＵＳおよび消去期間ＥＲＳにより構成される。なお、消去期間ＥＲＳは、点灯したセルのみの壁電荷を減少させるための放電を発生させる期間のため、サステイン期間ＳＵＳに含めて定義される場合もある。【００３８】
まず、リセット期間ＲＳＴでは、緩やかに下降する負の電圧（鈍波）が、維持電極ＸＥ（バス電極Ｘｂおよび透明電極Ｘｔ）に印加され、正の電圧が、走査電極ＹＥ（バス電極Ｙｂおよび透明電極Ｙｔ）に印加される（図８（ａ））。そして、維持電極ＸＥは、負の書き込み電圧に維持され、緩やかに上昇する正の書き込み電圧（書き込み鈍波）が走査電極ＹＥに印加される（図８（ｂ））。これにより、セルの発光を抑えながら維持電極ＸＥと走査電極ＹＥに正と負の壁電荷がそれぞれ蓄積される。次に、維持電極ＸＥに正の調整電圧が印加され、負の調整電圧（調整鈍波）が走査電極ＹＥに印加される（図８（ｃ））。これにより、維持電極ＸＥと走査電極ＹＥにそれぞれ蓄積された正と負の壁電荷の量が減るとともに、全てのセルの壁電荷が等しくなる。なお、例えば、正の調整電圧は、電圧Ｖｓ／２より低い電圧であり、負の調整電圧の最小値は、電圧−Ｖｓ／２より高い電圧である。【００３９】
アドレス期間ＡＤＲでは、アドレス放電時に陽極となるスキャン電圧が維持電極ＸＥに印加され、アドレス放電時に陰極となるスキャンパルスが走査電極ＹＥに印加され、アドレス放電時に陽極となるアドレスパルス（電圧Ｖｓａ）が、点灯するセルに対応するアドレス電極ＡＥに印加される（図８（ｄ））。スキャンパルスとアドレスパルスにより選択されたセルでは、一時的にアドレス放電が発生する。【００４０】
すなわち、走査電極ＹＥとアドレス電極ＡＥ間には、放電を発生させる最低電圧（放電開始電圧）以上の電圧が印加され、維持電極ＸＥとアドレス電極ＡＥ間には、放電開始電圧より低い電圧が印加される。これにより、着目するセルのアドレス電極ＡＥと走査電極ＹＥ間でアドレス放電を発生させるときに、隣接するセルの維持電極ＸＥとアドレス電極ＡＥ間で誤放電が発生することを防止できる。アドレス電極ＡＥの波形に示される２回目のアドレスパルスは、他の表示ラインの放電セルを選択するために印加される（図８（ｅ））。【００４１】
サステイン期間ＳＵＳでは、負および正のサステインパルスが、維持電極ＸＥおよび走査電極ＹＥにそれぞれ印加される（図８（ｆ、ｇ））。これにより、点灯したセルの放電状態が維持される。互いに極性の異なるサステインパルスが、維持電極ＸＥおよび走査電極ＹＥに繰り返して印加されることにより、サステイン期間ＳＵＳに点灯したセルの放電（サステイン放電）が繰り返し行われる。【００４２】
消去期間ＥＲＳでは、負の消去前パルスと正の高電圧の消去前パルスが、維持電極ＸＥおよび走査電極ＹＥにそれぞれ印加され、放電が発生する（図８（ｈ））。これにより、壁電荷が、維持電極ＸＥおよび走査電極ＹＥに蓄積される。この際、走査電極ＹＥは、電圧Ｖｓ／２より高い電圧が印加されるため、蓄積される壁電荷の量は相対的に多くなる。次に、正の消去パルスと負の消去パルスが、維持電極ＸＥおよび走査電極ＹＥにそれぞれ印加される（図８（ｉ））。これにより、放電が起こるが、２電極間に印加されている電圧値の差がサステイン期間ＳＵＳの電圧値の差よりも低いため、壁電荷の量がサステイン期間ＳＵＳに比べて減る。【００４３】
以上、この実施形態では、隔壁ＢＲ２は、バス電極Ｙｂのみに対向している。すなわち、バス電極Ｘｂは、放電空間ＤＳ上に位置し、バス電極Ｙｂは、隔壁ＢＲ２上に位置している。これにより、この実施形態では、隔壁ＢＲ１、ＢＲ２により囲まれる領域を大きくでき、蛍光体ＰＨが塗布される面積を大きくできる。また、蛍光体ＰＨが塗布される面積が大きいため、画像の輝度を向上でき、画像の品位を向上させることができる。なお、この実施形態では、バス電極Ｙｂが隔壁ＢＲ２上に位置しているため、バス電極Ｘｂとバス電極Ｙｂ間での誤放電およびアドレス電極ＡＥとバス電極Ｙｂ間での誤放電を防止できる。【００４４】
なお、上述した実施形態では、１つの画素が、３つのセル（赤（Ｒ）、緑（Ｇ）、青（Ｂ））により構成される例について述べた。本発明はかかる実施形態に限定されるものではない。例えば、１つの画素を４つ以上のセルにより構成してもよい。あるいは、１つの画素が、赤（Ｒ）、緑（Ｇ）、青（Ｂ）以外の色を発生するセルにより構成されてもよく、１つの画素が、赤（Ｒ）、緑（Ｇ）、青（Ｂ）以外の色を発生するセルを含んでもよい。【００４５】
上述した実施形態では、隔壁ＢＲ１、ＢＲ２が、ガラス基材ＲＳと一体に形成される例について述べた。本発明はかかる実施形態に限定されるものではない。例えば、隔壁ＢＲ１、ＢＲ２は、ペースト状の隔壁材料を塗布し、乾燥、サンドブラスト、焼成工程を経て形成されてもよいし、印刷による積層で形成されてもよい。この場合にも、上述した実施形態と同様の効果を得ることができる。【００４６】
上述した実施形態では、アドレス電極ＡＥが、自身に対応する一方のセルＣ１側に片寄って配置される例について述べた。本発明はかかる実施形態に限定されるものではない。例えば、アドレス電極ＡＥは、アドレス電極ＡＥの第１方向Ｄ１に沿う中心線と隔壁ＢＲ１の第１方向Ｄ１に沿う中心線とを同じ位置にして配置されてもよい。この場合にも、上述した実施形態と同様の効果を得ることができる。【００４７】
上述した実施形態では、透明電極Ｘｔ、Ｙｔが第２方向Ｄ２に沿って対向する位置に配置される例について述べた。本発明はかかる実施形態に限定されるものではない。例えば、図９に示すように、透明電極Ｘｔ２、Ｙｔ２の先端部ＳＤ１、ＳＤ２が第１方向Ｄ１に沿って対向する位置に配置されてもよい。図９は、画像表示面側から見た電極Ｘｂ、Ｘｔ２、Ｙｂ、Ｙｔ２、ＡＥおよび隔壁ＢＲ１、ＢＲ２の状態を示している。図９の例では、透明電極Ｘｔ２、Ｙｔ２およびアドレス電極ＡＥが、上述の実施形態（図２）と相違している。その他の構成は、上述の実施形態と同じである。上述の実施形態で説明した要素と同一の要素については、同一の符号を付し、これ等については、詳細な説明を省略する。【００４８】
バス電極Ｘｂに接続された透明電極Ｘｔ２の先端ＳＤ１は、バス電極Ｙｂに接続された透明電極Ｙｔ２の先端ＳＤ２に対向している。また、透明電極Ｘｔ２、Ｙｔ２は、対向部を広くするために、Ｔ字形状にそれぞれ形成されている。なお、透明電極Ｘｔ２、Ｙｔ２の形状は、長方形でもよいし、台形でもよい。また、突出部Ａｐは、アドレス電極ＡＥから各セルＣ１の透明電極Ｙｔ２に向けて突出し、アドレス電極ＡＥと一体に形成されている。このため、アドレス電極ＡＥと透明電極Ｙｔ２間に電圧を印加することにより、着目するセルＣ１でアドレス放電を発生させることができる。この場合にも、上述した実施形態と同様の効果を得ることができる。【００４９】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００５０】
本発明は、ディスプレイ装置に使用するプラズマディスプレイパネルに適用できる。
【図１】
2009025011.tif 000003
【図２】
2009025011.tif 000004
【図３】
2009025011.tif 000005
【図４】
2009025011.tif 000006
【図５】
2009025011.tif 000007
【図６】
2009025011.tif 000008
【図７】
2009025011.tif 000009
【図８】
2009025011.tif 000010
【図９】
2009025011.tif 000011
【国際調査報告】
2009025011.tif 000012
2009025011.tif 000013
2009025011.tif 000014
2009025011.tif 000015